(57)【要約】【課題】施設の効率的な利用を実現させることを課題とする。【解決手段】携帯端末は、ユーザが利用する場所を識別する場所識別情報と、携帯端末を識別する端末情報と、該場所の利用時間とを情報処理装置に対して送信する。情報処理装置は、携帯端末から場所識別情報、端末情報、利用時間を受信し、受信した場所識別情報に対応付けて、端末情報と利用時間とを記憶部に登録する。携帯端末は、通信装置を介して、端末情報を情報処理装置に対して送信する。情報処理装置は、通信装置から、端末情報と場所識別情報とを受信し、受信した場所識別情報と端末情報とが、記憶部に対応付けて登録されている場合に、通信装置を介して端末情報を受信した時刻である場所の利用の開始時刻と、端末情報に対応付けて登録された利用時間及び開始時刻から算出される場所の利用の終了時刻とを、場所識別情報に対応付けて記憶部に登録する。【選択図】図１
2016177697.tif 000002
【特許請求の範囲】
【請求項１】
端末装置と、１以上の通信装置に接続される１以上の情報処理装置とを有する情報処理システムであって、
前記端末装置は、
ユーザが利用する場所を識別する場所識別情報と、前記端末装置を識別する端末情報と、該場所の利用時間とを前記１以上の情報処理装置に対して送信する第１の端末送信部と、
前記１以上の通信装置のうち一の通信装置を介して、前記端末情報を前記１以上の情報処理装置に対して送信する第２の端末送信部と、
を有し、
前記１以上の情報処理装置は、
前記端末装置から、前記場所識別情報と、前記端末情報と、前記利用時間とを受信する第１の情報受信部と、
前記第１の情報受信部で受信した前記場所識別情報に対応付けて、前記端末情報と前記利用時間とを記憶部に登録する第１の登録部と、
前記一の通信装置から、前記端末情報と場所識別情報とを受信する第２の情報受信部と、
前記第２の情報受信部で受信した前記場所識別情報と前記端末情報とが、前記記憶部に対応付けて登録されているか否かを判定する判定部と、
前記判定部で前記記憶部に対応付けて登録されていると判定されたとき、前記第２の情報受信部で前記端末情報を受信した時刻である前記場所の利用の開始時刻と、前記第１の登録部で前記端末情報に対応付けて登録された利用時間及び前記開始時刻から算出される前記場所の利用の終了時刻と、を前記場所識別情報に対応付けて前記記憶部に登録する第２の登録部と
を有することを特徴とする情報処理システム。
【請求項２】
前記１以上の情報処理装置は、
前記判定部で前記記憶部に対応付けて登録されていると判定されたとき、前記一の通信装置を介して、前記場所の利用許可を示す利用許可情報を前記端末装置に対して送信する第１の情報送信部をさらに有し、
前記端末装置は、
前記一の通信装置を介して、前記利用許可情報を前記１以上の情報処理装置から受信する第１の端末受信部と、
前記第１の端末受信部で利用許可情報を受信したとき、前記場所の利用が許可されたことを通知する通知部と
をさらに有することを特徴とする請求項１に記載の情報処理システム。
【請求項３】
前記端末装置は、
前記一の通信装置を介して、前記場所の利用の終了時刻の所定時間前であることを表す終了時刻前情報を前記１以上の情報処理装置から受信する第２の端末受信部と、
前記終了時刻前情報が受信されたとき、前記場所の利用の終了時刻の所定時間前であることを通知する終了時刻前通知部と、をさらに有し、
前記１以上の情報処理装置は、
前記終了時刻の所定時間前になったとき、前記一の通信装置を介して、前記終了時刻前情報を前記端末装置に対して送信する第２の情報送信部と、
前記一の通信装置から、該一の通信装置と前記端末装置との接続が切断されたことを表す接続切断情報を受信する第３の情報受信部と、
前記接続切断情報が受信された時刻を前記場所識別情報に対応付けて前記記憶部に登録する第３の登録部と
をさらに有することを特徴とする請求項１又は２に記載の情報処理システム。
【請求項４】
前記端末装置は、
前記場所の利用時間を延長するための延長時間の入力を受け付ける延長時間受付部と、
前記一の通信装置を介して、前記延長時間受付部で受け付けた前記延長時間を前記１以上の情報処理装置に対して送信する第３の端末送信部と、をさらに有し、
前記１以上の情報処理装置は、
前記一の通信装置を介して、前記延長時間を受信する第４の情報受信部と、
前記第４の受信部で受信された前記延長時間に基づき算出された終了時刻を前記記憶部に登録する第４の登録部と
をさらに有することを特徴とする請求項１〜３の何れか一つに記載の情報処理システム。
【請求項５】
前記１以上の情報処理装置は、
前記判定部で前記記憶部に対応付けて登録されていると判定されたとき、前記記憶部に登録された端末情報に対応する前記端末装置に対して、開始時刻になったことを表す情報を送信する第３の情報送信部をさらに有し、
前記端末装置は、
前記一の通信装置を介して、前記開始時刻になったことを表す情報を前記１以上の情報処理装置から受信する第３の端末受信部と、
前記開始時刻になったことを表す情報が受信されたとき、前記場所の利用の開始時刻になったことを通知する開始時刻通知部と
をさらに有することを特徴とする請求項１〜４の何れか一つに記載の情報処理システム。
【請求項６】
前記端末装置は、
注文の入力を受け付ける注文受付部と、
前記一の通信装置を介して、受け付けられた前記注文の内容を表す注文情報を前記１以上の情報処理装置に対して送信する第４の端末送信部と、
前記一の通信装置を介して、前記注文に対する注文結果情報を前記１以上の情報処理装置から受信する第４の端末受信部と、
前記注文結果情報を通知する注文結果通知部と、をさらに有し、
前記１以上の情報処理装置は、
前記一の通信装置を介して、前記注文情報と、前記場所識別情報とを受信する第５の情報受信部と、
受信された前記場所識別情報に対応する前記終了時刻の所定時間前を経過しているか否かを判定する時間判定部と、
前記終了時刻の所定時間前を経過していないと判定された場合に、前記場所識別情報と前記注文情報とを対応付けて注文情報記憶部に登録する第５の登録部と、
前記一の通信装置を介して、前記注文を受け付けたことを表す注文結果情報を前記端末装置に対して送信する第４の情報送信部と、
当該情報処理装置と接続される作業者端末に対して前記注文情報を送信する第５の情報送信部と、
前記終了時刻の所定時間前を経過していると判定された場合に、前記一の通信装置を介して、前記注文を受け付けられないことを表す注文結果情報を前記端末装置に対して送信する第６の情報送信部と
をさらに有することを特徴とする請求項１〜５の何れか一つに記載の情報処理システム。
【請求項７】
前記第４の端末送信部は、前記端末情報を前記１以上の情報処理装置に対してさらに送信し、
前記第５の情報受信部は、前記端末情報を前記端末装置からさらに受信し、
前記第５の登録部は、前記端末情報を前記注文情報記憶部にさらに登録する
ことを特徴とする請求項６に記載の情報処理システム。
【請求項８】
前記１以上の情報処理装置は、
前記場所識別情報と前記端末情報とが、前記記憶部に対応付けて登録されていないと判定された場合に、前記場所識別情報と前記端末情報とが受信された時を含む所定時間範囲内に、前記記憶部に登録済みの端末情報が受信されたか否かを判定する受信判定部と、
前記記憶部に登録済みの端末情報が前記所定時間範囲内に受信されたと判定された場合に、登録されていない前記端末情報を前記記憶部に登録する第６の登録部と、をさらに有し、
前記第１の情報送信部は、前記記憶部に登録済みの端末情報が前記所定時間範囲内に受信されていないと判定された場合に、登録されていない前記端末情報に対応する前記端末装置に対して、前記場所の利用不可を表す利用不可情報を送信し、
前記第１の端末受信部は、前記利用不可情報を前記１以上の情報処理装置から受信し、
前記通知部は、前記利用不可情報が受信された場合に、前記場所の利用が許可されていないことを通知することを特徴とする請求項２に記載の情報処理システム。
【請求項９】
前記１以上の情報処理装置は、
前記場所識別情報と前記端末情報とが、前記記憶部に対応付けて登録されていると判定された場合に、前記場所識別情報に対応する前記場所に設置された機器の電源を投入するための制御を行なう第１の電源制御部と、
前記終了時刻になった場合、又は、前記接続切断情報が受信された場合に、前記機器の電源を切断するための制御を行なう第２の電源制御部と
をさらに有することを特徴とする請求項３に記載の情報処理システム。
【請求項１０】
端末装置と、１以上の通信装置に接続される１以上の情報処理装置とを有する情報処理システムで実行される情報処理方法であって、
前記端末装置が、
ユーザが利用する場所を識別する場所識別情報と、前記端末装置を識別する端末情報と、該場所の利用時間とを前記１以上の情報処理装置に対して送信するステップと、
前記１以上の通信装置のうち一の通信装置を介して、前記端末情報を前記１以上の情報処理装置に対して送信するステップと、を含み、
前記１以上の情報処理装置が、
前記端末装置から、前記場所識別情報と、前記端末情報と、前記利用時間とを受信するステップと、
受信された前記場所識別情報に対応付けて、前記端末情報と前記利用時間とを記憶部に登録するステップと、
前記一の通信装置から、前記端末情報と場所識別情報とを受信するステップと、
受信された前記場所識別情報と前記端末情報とが、前記記憶部に対応付けて登録されているか否かを判定するステップと、
前記記憶部に対応付けて登録されていると判定されたとき、前記一の通信装置から前記端末情報を受信した時刻である前記場所の利用の開始時刻と、前記端末情報に対応付けて登録された利用時間及び前記開始時刻から算出される前記場所の利用の終了時刻と、を前記場所識別情報に対応付けて前記記憶部に登録するステップと
を含むことを特徴とする情報処理方法。
【請求項１１】
端末装置と、１以上の通信装置に接続される１以上の情報処理装置とを有する情報処理システムであって、
前記端末装置に、
ユーザが利用する場所を識別する場所識別情報と、前記端末装置を識別する端末情報と、該場所の利用時間とを前記１以上の情報処理装置に対して送信するステップと、
前記１以上の通信装置のうち一の通信装置を介して、前記端末情報を前記１以上の情報処理装置に対して送信するステップと、を含むプログラムを実行させ、
前記１以上の情報処理装置は、
前記端末装置から、前記場所識別情報と、前記端末情報と、前記利用時間とを受信する第１の情報受信部と、
前記第１の情報受信部で受信した前記場所識別情報に対応付けて、前記端末情報と前記利用時間とを記憶部に登録する第１の登録部と、
前記一の通信装置から、前記端末情報と場所識別情報とを受信する第２の情報受信部と、
前記第２の情報受信部で受信した前記場所識別情報と前記端末情報とが、前記記憶部に対応付けて登録されているか否かを判定する判定部と、
前記判定部で前記記憶部に対応付けて登録されていると判定されたとき、前記第２の情報受信部で前記端末情報を受信した時刻である前記場所の利用の開始時刻と、前記第１の登録部で前記端末情報に対応付けて登録された利用時間及び前記開始時刻から算出される前記場所の利用の終了時刻と、を前記場所識別情報に対応付けて前記記憶部に登録する第２の登録部と
を有することを特徴とする情報処理システム。
【請求項１２】
端末装置と、１以上の通信装置に接続される１以上の情報処理装置とを有する情報処理システムであって、
前記端末装置は、
ユーザが利用する場所を識別する場所識別情報と、前記端末装置を識別する端末情報と、該場所の利用時間とを前記１以上の情報処理装置に対して送信する第１の端末送信部と、
前記１以上の通信装置のうち一の通信装置を介して、前記端末情報を前記１以上の情報処理装置に対して送信する第２の端末送信部と、
を有し、
前記１以上の情報処理装置は、
前記１以上の通信装置ごとに場所を識別する場所識別情報を関連付けて記憶する記憶部と、
前記端末装置から、前記場所識別情報と、前記端末情報と、前記利用時間とを受信する第１の情報受信部と、
前記第１の情報受信部で受信した前記場所識別情報に対応付けて、前記端末情報と前記利用時間とを前記記憶部に登録する第１の登録部と、
前記一の通信装置から、前記端末情報を受信する第２の情報受信部と、
前記一の通信装置と関連付けて前記記憶部に記憶された場所識別情報が、前記第２情報受信部で受信した前記端末情報と対応付けて前記記憶部に登録された場所識別情報と対応するか否かを判定する判定部と、
前記判定部で対応すると判断されたとき、前記第２の情報受信部で前記端末情報を受信した時刻である前記場所の利用の開始時刻と、前記第１の登録部で前記端末情報に対応付けて登録された利用時間及び前記開始時刻から算出される前記場所の利用の終了時刻と、を前記場所識別情報に対応付けて前記記憶部に登録する第２の登録部と
を有することを特徴とする情報処理システム。
【発明の詳細な説明】
【技術分野】
【０００１】
本発明は、情報処理システム及び情報処理方法に関する。
【背景技術】
【０００２】
従来、会議室等の施設の利用に際して、会議室の利用の終了時刻を超えたときに退室を促したり、会議室の利用の開始時刻を超えても利用されていないときに利用するか否かを問い合わせたりする技術がある。
【発明の概要】
【発明が解決しようとする課題】
【０００３】
しかしながら、上述した従来技術は、施設の効率的な利用がされているとは言い難い。具体的には、施設を利用する際の受け付け時に、開始時刻や終了時刻が決められており、会議室等に実際に入った時間が開始時刻になるわけではないため、施設の効率的な利用がされているとは言い難い。
【０００４】
本発明は、上記に鑑みてなされたものであって、施設の効率的な利用を実現させることを目的とする。
【課題を解決するための手段】
【０００５】
上述した課題を解決し、目的を達成するため、本発明に係る情報処理システムは、端末装置と、１以上の通信装置に接続される１以上の情報処理装置とを有する情報処理システムであって、前記端末装置は、ユーザが利用する場所を識別する場所識別情報と、前記端末装置を識別する端末情報と、該場所の利用時間とを前記１以上の情報処理装置に対して送信する第１の端末送信部と、前記１以上の通信装置のうち一の通信装置を介して、前記端末情報を前記１以上の情報処理装置に対して送信する第２の端末送信部と、を有し、前記１以上の情報処理装置は、前記端末装置から、前記場所識別情報と、前記端末情報と、前記利用時間とを受信する第１の情報受信部と、前記第１の情報受信部で受信した前記場所識別情報に対応付けて、前記端末情報と前記利用時間とを記憶部に登録する第１の登録部と、前記一の通信装置から、前記端末情報と場所識別情報とを受信する第２の情報受信部と、前記第２の情報受信部で受信した前記場所識別情報と前記端末情報とが、前記記憶部に対応付けて登録されているか否かを判定する判定部と、前記判定部で前記記憶部に対応付けて登録されていると判定されたとき、前記第２の情報受信部で前記端末情報を受信した時刻である前記場所の利用の開始時刻と、前記第１の登録部で前記端末情報に対応付けて登録された利用時間及び前記開始時刻から算出される前記場所の利用の終了時刻と、を前記場所識別情報に対応付けて前記記憶部に登録する第２の登録部とを有する。
【発明の効果】
【０００６】
本発明の一つの様態によれば、施設の効率的な利用を実現させることができるという効果を奏する。
【図面の簡単な説明】
【０００７】
【図１】図１は、実施の形態１に係る情報処理システムのシステム構成例を示す図である。
【図２】図２は、実施の形態１に係る情報処理システムの概略図を示す図である。
【図３】図３は、実施の形態１に係る携帯端末のハードウェア構成例を示すブロック図である。
【図４】図４は、実施の形態１に係る情報処理装置のハードウェア構成例を示すブロック図である。
【図５】図５は、実施の形態１に係る携帯端末及び情報処理装置の機能構成例を示すブロック図である。
【図６】図６は、実施の形態１に係る部屋情報記憶部によって記憶される情報例を示す図である。
【図７】図７は、実施の形態１に係る全体処理の流れの例を示すシーケンス図である。
【図８】図８は、実施の形態１に係る時間延長処理の流れの例を示すシーケンス図である。
【図９】図９は、実施の形態２に係る携帯端末及び情報処理装置の機能構成例を示すブロック図である。
【図１０】図１０は、実施の形態２に係る部屋情報記憶部に記憶される情報例を示す図である。
【図１１】図１１は、実施の形態２に係る注文情報記憶部に記憶される情報例を示す図である。
【図１２】図１２は、実施の形態２に係る端末情報登録処理の流れの例を示すフローチャートである。
【図１３】図１３は、実施の形態２に係る注文処理の流れの例を示すシーケンス図である。
【図１４】図１４は、実施の形態２に係る注文可否判定処理の流れの例を示すフローチャートである。
【図１５】図１５は、実施の形態３に係る機器電源制御処理の流れの例を示すフローチャートである。
【発明を実施するための形態】
【０００８】
以下に添付図面を参照して、本発明に係る情報処理システム及び情報処理方法の実施の形態を説明する。なお、以下の実施の形態により本発明が限定されるものではない。また、各実施の形態は、内容を矛盾させない範囲で適宜組み合わせることができる。
【０００９】
（実施の形態１）
［実施の形態１に係るシステム構成］
図１及び図２を用いて、実施の形態１に係る情報処理システムのシステム構成を説明する。図１は、実施の形態１に係る情報処理システムのシステム構成例を示す図である。図２は、実施の形態１に係る情報処理システムの概略図を示す図である。
【００１０】
図１に示すように、情報処理システム１には、受付端末５０と、通信装置６０と、携帯端末１００と、情報処理装置２００とが含まれる。受付端末５０と、通信装置６０と、情報処理装置２００とは、ＬＡＮ（Local  Area  Network）等のネットワークに接続される。また、携帯端末１００は、インターネットや無線ＬＡＮ等のネットワークに接続可能であるとともに、ＮＦＣ（Near  Field  Communication）等の近距離無線通信にも接続可能である。かかる携帯端末１００は、「端末装置」の一例である。
【００１１】
例えば、情報処理システム１は、図２に示すように、会議室やカラオケボックス、自習室等のユーザが部屋を利用するケースに適用することができる。受付端末５０は、受付等に設置されるＰＣ（Personal  Computer）やタブレット端末等の情報機器（情報処理装置）である。通信装置６０は、各部屋に設置される無線通信が可能な通信機器である。携帯端末１００は、ユーザによって所持されるスマートフォンやタブレット端末、ウェアラブルデバイス等の情報機器（端末装置）である。情報処理装置２００は、ＰＣやサーバ装置等の情報機器である。なお、本実施の形態では、会議室等の部屋を想定して記載しているが、ユーザが利用する特定の空間や場所、例えば壁、床、天井に囲まれていないスペース（例えば、机と椅子が置かれ、壁などで仕切られていない会議スペース等）やホール、会場、広間、建物、エリア、区画等にも適用できる。
【００１２】
部屋を利用するユーザは、受付にて、受付端末５０に接続されたＮＦＣのインタフェース等に、所持する携帯端末１００を置く。受付端末５０は、部屋の使用可能人数や空き状況等の部屋に関する各種情報を含む部屋情報を情報処理装置２００から取得し、取得した部屋情報を携帯端末１００に対して送信する。これにより、ユーザは、携帯端末１００の操作表示部に表示される部屋情報を確認し、利用する部屋を指定する操作を行なう。なお、携帯端末１００との通信はＮＦＣだけでなく、Ｂｌｕｅｔｏｏｔｈ（登録商標）や音波等、部屋情報を携帯端末１００に対して送信することができる通信方式であれば良い。
【００１３】
携帯端末１００は、部屋の指定を受け付けると、指定された部屋を識別する部屋識別情報（「場所識別情報」の一例）と、該携帯端末１００を識別する端末情報とを、受付端末５０に対して送信する。受付端末５０は、携帯端末１００から受信した部屋識別情報と端末情報とを、情報処理装置２００に対して転送する。情報処理装置２００は、受付端末５０を介して、部屋識別情報と端末情報とを携帯端末１００から受信すると、部屋識別情報と端末情報とを対応付けて部屋情報記憶部に登録する。すなわち、情報処理装置２００は、携帯端末１００を所持するユーザがどの部屋を利用するかを部屋情報記憶部により管理する。
【００１４】
受け付けが終わると、ユーザは、利用する部屋（受付にて指定した部屋）に移動する。上述したように、部屋には通信装置６０が設置されている。通信装置６０には、携帯端末１００と通信するための通信範囲が設定されている。例えば、通信範囲は、部屋の広さと同等であるものとする。携帯端末１００は、部屋に設置された通信装置６０の通信範囲に入った場合に、該通信装置６０との接続を確立するための接続処理を実行する。そして、携帯端末１００は、通信装置６０との接続が確立された場合に、該通信装置６０を介して、自身の端末情報を情報処理装置２００に対して送信する。このとき、通信装置６０は、設置されている部屋の部屋識別情報を付加し、端末情報とともに情報処理装置２００に対して送信する。
【００１５】
情報処理装置２００は、通信装置６０を介して、端末情報と部屋識別情報とを受信すると、受信された端末情報と部屋識別情報とが、部屋情報記憶部に対応付けて登録されているか否かを判定する。そして、情報処理装置２００は、部屋情報記憶部に対応付けて登録されていると判定した場合に、通信装置６０を介して、部屋の利用許可を表す利用許可情報を携帯端末１００に対して送信する。すなわち、情報処理装置２００は、ユーザが入った部屋が、受付にてユーザが指定した部屋と一致していれば、利用許可情報を送信する。なお、情報処理装置２００は、部屋情報記憶部に対応付けて登録されていないと判定した場合に、通信装置６０を介して、利用不可情報を携帯端末１００に対して送信する。
【００１６】
携帯端末１００は、通信装置６０を介して利用許可情報を受信し、部屋の利用が許可されたことを通知する。ユーザは、入室した部屋が受付にて指定した部屋と一致していると認識し、次に、部屋の利用時間を入力する。携帯端末１００は、部屋の利用時間の入力を受け付けると、通信装置６０を介して、受け付けられた利用時間を情報処理装置２００に対して送信する。このとき、通信装置６０は、設置されている部屋の部屋識別情報を付加し、端末情報とともに情報処理装置２００に対して送信する。ユーザは、部屋の利用を開始する。なお、利用不可情報が通知された場合、ユーザは、部屋を間違えたことを認識し、指定した部屋へ移動する。
【００１７】
情報処理装置２００は、通信装置６０を介して、利用時間と部屋識別情報とを受信すると、受信した時の時刻を部屋の利用の開始時刻として、利用時間と開始時刻とから部屋の利用の終了時刻を算出する。そして、情報処理装置２００は、部屋識別情報に対応付けて、開始時刻と終了時刻とを部屋情報記憶部に登録する。これらにより、部屋情報記憶部には、少なくとも、部屋識別情報と、端末情報と、開始時刻と、終了時刻とが対応付けて記憶されることになる。
【００１８】
情報処理システム１は、携帯端末１００を用いてユーザが指定した部屋の部屋識別情報と、携帯端末１００の端末情報とを情報処理装置２００で管理し、部屋への入室時にこれらの情報を確認することで、ユーザが入室した部屋が正しいか否かの情報を提供する。また、情報処理システム１は、ユーザが部屋に入室してから入力した部屋の利用時間をもとに、部屋利用の開始時刻と終了時刻とを管理する。これらの結果、情報処理システム１は、施設の効率的な利用を実現させることができる。
【００１９】
［実施の形態１に係る携帯端末のハードウェア構成］
次に、図３を用いて、実施の形態１に係る携帯端末１００のハードウェア構成を説明する。図３は、実施の形態１に係る携帯端末１００のハードウェア構成例を示すブロック図である。
【００２０】
図３に示すように、携帯端末１００は、ＣＰＵ（Central  Processing  Unit）１２と、ＲＡＭ（Random  Access  Memory）１３と、ＲＯＭ（Read  Only  Memory）１４と、通信Ｉ／Ｆ１５と、操作表示部１６とを有する。上記各部は、バス１１により接続される。
【００２１】
ＣＰＵ１２は、携帯端末１００全体の動作を制御する。ＣＰＵ１２は、ＲＡＭ１３等の作業領域として、ＲＯＭ１４等に記憶されたプログラムを実行することで、携帯端末１００全体の動作を制御する。ＲＡＭ１３は、ＲＯＭ１４等に格納されたプログラムの実行時の作業領域である。ＲＯＭ１４は、携帯端末１００による処理を実現するためのプログラムを記憶する。通信Ｉ／Ｆ１５は、受付端末５０や通信装置６０、情報処理装置２００との通信を制御するインタフェースである。操作表示部１６は、ユーザ操作に応じた各種の入力を受け付けるとともに、ユーザ操作に応じて各種の情報を表示する。例えば、操作表示部１６は、タッチパネル機能を搭載した液晶表示装置（LCD：Liquid  Crystal  Display）や有機ＥＬ（Electro  Luminescence）表示装置等である。
【００２２】
［実施の形態１に係る情報処理装置のハードウェア構成］
次に、図４を用いて、実施の形態１に係る情報処理装置２００のハードウェア構成を説明する。図４は、実施の形態１に係る情報処理装置２００のハードウェア構成例を示すブロック図である。
【００２３】
図４に示すように、情報処理装置２００は、ＣＰＵ２２と、ＲＡＭ２３と、ＲＯＭ２４と、通信Ｉ／Ｆ２５とを有する。上記各部は、バス２１により接続される。
【００２４】
ＣＰＵ２２は、情報処理装置２００全体の動作を制御する。ＣＰＵ２２は、ＲＡＭ２３等を作業領域として、ＲＯＭ２４等に記憶されたプログラムを実行することで、情報処理装置２００全体の動作を制御する。ＲＡＭ２３は、ＲＯＭ２４等に格納されたプログラムの実行時の作業領域である。ＲＯＭ２４は、情報処理装置２００による処理を実現するためのプログラムを記憶する。通信Ｉ／Ｆ２５は、受付端末５０や通信装置６０、携帯端末１００との通信を制御するインタフェースである。
【００２５】
［実施の形態１に係る各装置の機能構成］
次に、図５を用いて、実施の形態１に係る携帯端末１００及び情報処理装置２００の機能構成を説明する。図５は、実施の形態１に係る携帯端末１００及び情報処理装置２００の機能構成例を示すブロック図である。
【００２６】
図５に示すように、携帯端末１００は、操作表示部１０１と、操作表示制御部１０２と、送信制御部１０３と、通信部１０４と、接続処理部１０５と、受信制御部１０６とを有する。操作表示制御部１０２、送信制御部１０３、接続処理部１０５及び受信制御部１０６は、これらの一部又は全てがソフトウェア（プログラム）で実現されても良いし、ハードウェア回路で実現されても良い。
【００２７】
操作表示部１０１は、操作表示制御部１０２による制御に従い、ユーザ操作に応じた各種の入力を受け付けるとともに、ユーザ操作に応じて各種の情報を表示する。操作表示制御部１０２は、操作表示部１０１における入力処理や表示処理を制御する。一つの様態として、操作表示制御部１０２は、操作表示部１０１に部屋情報を表示させるための処理を制御し、ユーザが利用する部屋の指定を受け付ける。部屋情報は、部屋を利用するための受付時に、受付端末５０から取得される。例えば、操作表示制御部１０２は、部屋の使用可能人数や空き状況等の部屋に関する各種情報を含む部屋情報を操作表示部１０１に表示させるための制御を行ない、何れかの部屋を指定するユーザ操作を受け付ける。
【００２８】
送信制御部１０３は、通信部１０４による各種情報の送信を制御する。一つの様態として、送信制御部１０３は、操作表示制御部１０２によって部屋を指定するユーザ操作が受け付けられた場合に、部屋識別情報と端末情報とを情報処理装置２００に対して送信するための制御を行なう。例えば、送信制御部１０３は、通信部２０１を介して、ユーザによって指定された部屋を識別する部屋識別情報と、携帯端末１００を識別する端末情報とを、情報処理装置２００に対して送信する。このとき、部屋識別情報と端末情報とは、部屋情報を提供した受付端末５０を介して、情報処理装置２００に対して送信される。このとき、送信制御部１０３は、部屋の利用時間をさらに送信しても良い。
【００２９】
接続処理部１０５は、通信装置６０との接続を確立するための接続処理を実行する。例えば、接続処理部１０５は、部屋に設置された通信装置６０の通信範囲に携帯端末１００が入った場合に、該通信装置６０と接続を確立するための接続処理を実行する。通信装置６０の通信範囲に携帯端末１００が入った場合とは、携帯端末１００を所持するユーザが、受付端末５０が設置された受付から移動して、通信装置６０が設置された部屋に入室したことを意味する。
【００３０】
また、送信制御部１０３は、通信装置６０との接続が確立された場合に、端末情報を情報処理装置２００に対して送信するための制御を行なう。例えば、送信制御部１０３は、接続処理部１０５による接続処理によって、携帯端末１００と通信装置６０との接続が確立された場合に、該携帯端末１００の端末情報を、該通信装置６０を介して、情報処理装置２００に対して送信する。このとき、通信装置６０は、自身が設置された部屋の部屋識別情報を付加して、端末情報とともに情報処理装置２００に対して送信する。
【００３１】
受信制御部１０６は、通信部１０４による各種情報の受信を制御する。一つの様態として、受信制御部１０６は、利用許可情報を情報処理装置２００から受信するための制御を行なう。例えば、受信制御部１０６は、送信制御部１０３によって送信された端末情報と、通信装置６０によって付加されて送信された部屋識別情報とを受信した情報処理装置２００による応答として、通信部１０４を介して、部屋の利用許可を表す利用許可情報を情報処理装置２００から受信する。このとき、利用許可情報は、部屋に設置された通信装置６０を介して、情報処理装置２００から受信される。
【００３２】
また、操作表示制御部１０２は、部屋の利用が許可されたことを通知するための制御を行なう。かかる操作表示制御部１０２は、「通知部」の一例である。例えば、操作表示制御部１０２は、受信制御部１０６によって利用許可情報が受信された場合に、部屋の利用が許可されたことを操作表示部１０１等に表示し、ユーザに通知する。なお、部屋の利用許可は、音や光を携帯端末１００に出力させることで通知するようにしても良い。これにより、ユーザは、入室した部屋が、受付にて指定した部屋と一致していること（利用する部屋を間違えていないこと）を認識する。
【００３３】
また、操作表示制御部１０２は、部屋の利用時間の入力を受け付ける。例えば、操作表示制御部１０２は、部屋の利用許可の通知後、ユーザ操作に応じて部屋の利用時間の入力を促し、部屋の利用時間の入力を受け付ける。利用時間の入力については、施設の用途によって異なるが、例えばカラオケボックスの場合、ユーザは、３０分単位や１時間単位でプルダウンリスト等のＵＩにより利用時間を入力する。なお、受付時に利用時間を入力した場合、ここでは入力しなくて良い。又は、受付時に入力した利用時間を変更する場合に入力することとする（部屋の利用を開始すると、利用時間は入力できない）。
【００３４】
また、送信制御部１０３は、利用時間を情報処理装置２００に対して送信するための制御を行なう。例えば、送信制御部１０３は、操作表示制御部１０２によって受け付けられた利用時間を、通信部１０４を介して、情報処理装置２００に対して送信する。利用時間は、部屋に設置された通信装置６０を介して、情報処理装置２００に対して送信される。このとき、通信装置６０は、自身が設置された部屋の部屋識別情報を付加して、利用時間とともに情報処理装置２００に対して送信する。利用時間を入力したユーザは、部屋の利用を開始する。
【００３５】
また、受信制御部１０６は、終了時刻前情報を情報処理装置２００から受信するための制御を行なう。例えば、受信制御部１０６は、通信部１０４を介して、部屋の利用の終了時刻の所定時間前であることを表す終了時刻前情報を情報処理装置２００から受信する。このとき、終了時刻前情報は、部屋に設置された通信装置６０を介して、情報処理装置２００から受信される。例を挙げると、部屋の利用時刻の１０分前等になった場合に、終了時刻の１０分前であることを表す情報が受信される。
【００３６】
また、操作表示制御部１０２は、部屋の利用の終了時刻の所定時間前であることを通知するための制御を行なう。かかる操作表示制御部１０２は、「終了時刻前通知部」の一例である。例えば、操作表示制御部１０２は、受信制御部１０６によって終了時刻前情報が受信された場合に、部屋の利用の終了時刻の所定時間前であることを操作表示部１０１等に表示し、ユーザに通知する。なお、部屋の利用の終了時刻の所定時間前であることは、音や光を携帯端末１００に出力させることで通知するようにしても良い。これにより、ユーザは、部屋の利用の終了時刻の所定時間前になったことを認識する。そして、ユーザは、部屋の利用時間を延長しない場合、終了時刻までに退室する。
【００３７】
また、操作表示制御部１０２は、延長時間の入力を受け付ける。かかる操作表示制御部１０２は、「延長時間受付部」の一例である。例えば、操作表示制御部１０２は、部屋の利用の終了時刻の所定時間前であることを通知した後に、部屋の利用を延長する際の延長時間の入力を促すＵＩを操作表示部１０１に表示し、延長時間の入力を受け付ける。なお、延長時間の入力は、終了時刻までに行われることが好ましい。
【００３８】
また、送信制御部１０３は、延長時間を情報処理装置２００に対して送信するための制御を行なう。例えば、送信制御部１０３は、操作表示制御部１０２によって受け付けられた延長時間を、通信部１０４を介して、情報処理装置２００に対して送信する。延長時間は、部屋に設置された通信装置６０を介して、情報処理装置２００に対して送信される。このとき、通信装置６０は、自身が設置された部屋の部屋識別情報を付加して、延長時間とともに情報処理装置２００に対して送信する。延長時間を入力したユーザは、部屋の利用を継続する。
【００３９】
また、図５に示すように、情報処理装置２００は、通信部２０１と、受信制御部２０２と、登録部２０３と、部屋情報記憶部２０４と、登録判定部２０５と、送信制御部２０６とを有する。受信制御部２０２、登録部２０３、登録判定部２０５及び送信制御部２０６は、これらの一部又は全てがソフトウェア（プログラム）で実現されても良いし、ハードウェア回路で実現されても良い。
【００４０】
受信制御部２０２は、通信部２０１による各種情報の受信を制御する。一つの様態として、受信制御部２０２は、部屋識別情報と端末情報とを携帯端末１００から受信するための制御を行なう。例えば、受信制御部２０２は、携帯端末１００の端末情報と、ユーザによって選択された部屋の部屋識別情報とを、通信部２０１を介して、該携帯端末１００から受信する。このとき、端末情報と部屋識別情報とは、受付端末５０を介して、携帯端末１００から受信される。
【００４１】
登録部２０３は、部屋識別情報に対応付けて、端末情報を部屋情報記憶部２０４に登録する。例えば、登録部２０３は、受信制御部２０２によって端末情報と部屋識別情報とが受付端末５０を介して受信された場合に、部屋識別情報と端末情報とを、部屋情報記憶部２０４に対応付けて登録する。これにより、情報処理装置２００では、どの部屋をどの携帯端末１００を所持したユーザが利用しているかを認識できる。なお、部屋情報記憶部２０４によって記憶される情報例については後述する。
【００４２】
また、受信制御部２０２は、通信装置６０を介して、端末情報と部屋識別情報とを携帯端末１００から受信するための制御を行なう。例えば、受信制御部２０２は、携帯端末１００が通信装置６０の通信範囲に入ったことに応じて、該携帯端末１００の端末情報と、該通信装置６０によって付加された部屋識別情報とを、通信部２０１を介して、携帯端末１００から受信する。このとき、端末情報と部屋識別情報とは、通信装置６０を介して、携帯端末１００から受信される。
【００４３】
登録判定部２０５は、受信された部屋識別情報と端末情報とが、部屋情報記憶部２０４に対応付けて登録されているか否かを判定する。例えば、登録判定部２０５は、受信制御部２０２によって端末情報と部屋識別情報とが通信装置６０を介して受信された場合に、受信された端末情報と部屋識別情報とが、部屋情報記憶部２０４に対応付けて登録されているか否かを判定する。登録判定部２０５による判定は、部屋情報記憶部２０４に単に登録されているか否かではなく、対応付けて登録されているか否かである。
【００４４】
送信制御部２０６は、通信部２０１による各種情報の送信を制御する。一つの様態として、送信制御部２０６は、通信装置６０を介して、利用許可情報を携帯端末１００に対して送信するための制御を行なう。例えば、送信制御部２０６は、登録判定部２０５によって、端末情報と部屋識別情報とが部屋情報記憶部２０４に対応付けて登録されていると判定された場合に、利用許可情報を、通信部２０１を介して、携帯端末１００に対して送信する。このとき、利用許可情報は、通信装置６０を介して、携帯端末１００に対して送信される。つまり、送信制御部２０６は、端末情報と部屋識別情報とが部屋情報記憶部２０４に対応付けて登録されていることにより、ユーザが入室した部屋が、受付にて指定された部屋と一致するものとして、利用許可情報を通知する。
【００４５】
また、受信制御部２０２は、利用時間と部屋識別情報とを携帯端末１００から受信するための制御を行なう。例えば、受信制御部２０２は、利用許可情報を受信した携帯端末１００のユーザによって入力された部屋の利用時間と、該部屋に設置された通信装置６０によって付加された部屋識別情報とを、通信部２０１を介して、携帯端末１００から受信する。このとき、利用時間と部屋識別情報とは、通信装置６０を介して、携帯端末１００から受信される。
【００４６】
また、登録部２０３は、開始時刻を決定し、利用時間と開始時刻とから部屋の利用の終了時刻を算出して、部屋識別情報に対応付けて開始時刻と終了時刻とを部屋情報記憶部２０４に登録する。例えば、登録部２０３は、受信制御部２０２によって利用時間と部屋識別情報とが通信装置６０を介して受信された場合に、受信された時刻を部屋の利用の開始時刻として、利用時間と開始時刻とから部屋の利用の終了時刻を算出する。つまり、開始時刻は、受付にて部屋を指定したときではなく、ユーザが入室して利用時間を入力したときになる。そして、登録部２０３は、部屋識別情報に対応付けて、開始時刻と終了時刻とを部屋情報記憶部２０４に登録する。これにより、情報処理装置２００では、どの部屋をどの携帯端末１００を所持したユーザが、何時（開始時刻）から何時（終了時刻）まで利用するかを認識できる。なお、部屋情報記憶部２０４によって記憶される情報例については後述する。
【００４７】
また、送信制御部２０６は、終了時刻前情報を携帯端末１００に対して送信するための制御を行なう。例えば、送信制御部２０６は、部屋情報記憶部２０４に記憶された部屋識別情報に対応する終了時刻の所定時間前になった場合に、終了時刻の所定時間前になったことを表す終了時刻前情報を、該当する部屋識別情報に対応する部屋に設置された通信装置６０を介して、携帯端末１００に対して送信する。これにより、ユーザは、部屋の利用の終了時刻の所定時間前であることを認識し、部屋の利用を延長しない場合に、終了時刻までに退室する。
【００４８】
また、受信制御部２０２は、通信装置６０から、接続切断情報と、部屋識別情報とを受信するための制御を行なう。通信装置６０は、終了時刻前情報の転送後、通信範囲に含まれる携帯端末１００の存在確認のために通信を開始する。そして、通信装置６０は、通信範囲に含まれる携帯端末１００との接続が切断された場合に、携帯端末１００との接続が切断されたことを表す接続切断情報と、自身が設置された部屋の部屋識別情報とを、情報処理装置２００に対して送信する。携帯端末１００との接続が切断されることは、該携帯端末１００を所持するユーザが部屋から退室したことを意味する。これにより、受信制御部２０２は、通信装置６０から、接続切断情報と、部屋識別情報とを受信する。
【００４９】
また、登録部２０３は、退室時刻を決定し、部屋識別情報に対応する退室時刻を部屋情報記憶部２０４に登録する。例えば、登録部２０３は、受信制御部２０２によって接続切断情報と部屋識別情報とが通信装置６０から受信された場合に、受信された時刻を退室時刻として、退室時刻を部屋識別情報に対応付けて部屋情報記憶部２０４に登録する。これにより、情報処理装置２００では、ユーザが部屋を退出したときの退室時刻を認識できる。
【００５０】
図６は、実施の形態１に係る部屋情報記憶部２０４によって記憶される情報例を示す図である。図６に示すように、部屋情報記憶部２０４は、部屋を識別する「部屋識別情報」と、部屋の状況を表す「状況」と、携帯端末１００を識別する「端末情報」と、部屋の利用の開始時刻を表す「開始時刻」と、部屋の利用の終了時刻（終了時刻の予定）を表す「終了時刻」と、部屋からユーザが退室した時刻を表す「退室時刻」との情報を対応付けて記憶する。例を挙げると、部屋情報記憶部２０４は、部屋識別情報「１０１」と、状況「準備中」と、端末情報「端末Ａ」と、開始時刻「１４：００」と、終了時刻「１５：３０」と、退室時刻「１５：２７」とを対応付けて記憶する。
【００５１】
例えば、部屋識別情報が「１０１」の部屋については、端末情報「端末Ａ」の携帯端末１００を所持するユーザが、１４：００から１５：３０まで部屋を利用する指定を行ない、実際には１５：２７まで部屋を利用したことが分かる。なお、状況「準備中」は、ユーザが退室した後に片付けや清掃等を行なうために、この部屋の使用はまだできないことを表している。登録部２０３は、退室時刻を登録したときに、状況を「準備中」に更新する。
【００５２】
また、部屋識別情報が「１０２」の部屋については、端末情報「端末Ｂ」の携帯端末１００を所持するユーザが１５：００から１７：００まで部屋を利用する指定を行ない、現在も部屋を使用中であることが分かる。つまり、状況「使用中」は、部屋を使用中であることを表している。登録部２０３は、開始時刻や終了時刻を登録したときに、状況を「使用中」に更新する。また、部屋識別情報が「１０３」の部屋については、空室の状況である。登録部２０３は、部屋の清掃等が終わり、部屋を使用可能になった場合に、管理者による操作等に応じて、端末情報、開始時刻、終了時刻及び退室時刻の情報を削除し、状況を「空室」に更新する。このように、情報処理装置２００では、各部屋に関する各種情報を管理する。なお、後述するように、終了時刻の情報は、部屋の利用が延長される場合に更新される。
【００５３】
図５の説明に戻る。ユーザが部屋の利用を延長する場合を説明する。受信制御部２０２は、延長時間と部屋識別情報とを携帯端末１００から受信するための制御を行なう。例えば、受信制御部２０２は、ユーザによって入力された部屋の利用の延長時間と、該部屋に設置された通信装置６０によって付加された部屋識別情報とを、通信部２０１を介して、携帯端末１００から受信する。このとき、延長時間と部屋識別情報とは、通信装置６０を介して、携帯端末１００から受信される。
【００５４】
また、登録部２０３は、延長時間をもとに終了時刻を算出し、算出した終了時刻を部屋情報記憶部２０４に登録する。例えば、登録部２０３は、受信制御部２０２によって延長時間と部屋識別情報とが通信装置６０を介して受信された場合に、部屋情報記憶部２０４に記憶された部屋識別情報に対応する終了時刻に、受信された延長時間を加算することにより新たな終了時刻を算出する。そして、登録部２０３は、算出した新たな終了時刻を、部屋識別情報に対応付けて部屋情報記憶部２０４に登録する。つまり、登録部２０３は、終了時刻の情報を延長時間分だけ加算し、終了時刻を更新する。
【００５５】
［実施の形態１に係る全体処理］
次に、図７を用いて、実施の形態１に係る全体処理の流れを説明する。図７は、実施の形態１に係る全体処理の流れの例を示すシーケンス図である。
【００５６】
図７に示すように、受付端末５０は、情報処理装置２００に対して部屋情報を要求する（ステップＳ１０１）。情報処理装置２００は、部屋情報の要求に応じて、部屋情報記憶部２０４から部屋情報を取得し、受付端末５０に対して応答する（ステップＳ１０２）。受付端末５０は、部屋情報を携帯端末１００に対して送信する（ステップＳ１０３）。携帯端末１００は、受付端末５０から部屋情報を取得すると、部屋情報を表示し、ユーザが利用する部屋の指定を受け付ける（ステップＳ１０４）。
【００５７】
携帯端末１００は、指定された部屋の部屋識別情報と、該携帯端末１００の端末情報とを受付端末５０に対して送信する（ステップＳ１０５）。受付端末５０は、部屋識別情報と端末情報とを携帯端末１００から受信すると、部屋識別情報と端末情報とを情報処理装置２００に対して転送する（ステップＳ１０６）。情報処理装置２００は、部屋識別情報と端末情報とを受付端末５０から受信し、受信した部屋識別情報に対応付けて端末情報を部屋情報記憶部２０４に登録する（ステップＳ１０７）。
【００５８】
携帯端末１００は、ユーザが受付にて指定した部屋に入室することにより、部屋に設置された通信装置６０の通信範囲に入った場合に、該通信装置６０との接続を確立するための接続処理を実行する（ステップＳ１０８）。携帯端末１００は、通信装置６０との接続が確立すると、端末情報を通信装置６０に対して送信する（ステップＳ１０９）。通信装置６０は、端末情報を携帯端末１００から受信すると、受信した端末情報と、自身が設置された部屋の部屋識別情報とを、情報処理装置２００に対して送信する（ステップＳ１１０）。
【００５９】
情報処理装置２００は、部屋識別情報と端末情報とを通信装置６０から受信すると、これらの情報が部屋情報記憶部２０４に対応付けて登録されているか否かを判定する（ステップＳ１１１）。そして、情報処理装置２００は、部屋情報記憶部２０４に対応付けて登録されている場合に、利用許可情報を通信装置６０に対して送信する（ステップＳ１１２）。通信装置６０は、利用許可情報を情報処理装置２００から受信すると、受信した利用許可情報を携帯端末１００に対して転送する（ステップＳ１１３）。
【００６０】
なお、情報処理装置２００は、通信装置６０ごと（例えば通信装置６０の識別情報ごと）に、部屋識別情報を関連付けて記憶するような構成としても良い。この場合、情報処理装置２００は、ステップＳ１１０で部屋識別情報を受信する必要がない。情報処理装置２００は、ステップＳ１１０で端末情報を送信した通信装置６０と関連付けて記憶されている部屋識別情報と、送信された端末情報と関連付けてステップＳ１０７で登録された部屋識別情報とが対応（又は一致）するかを判断する。部屋識別情報が対応するとき（例えばどちらの部屋識別情報も「１０１」を示す場合）、情報処理装置２００は、利用許可情報を送信する。
【００６１】
携帯端末１００は、利用許可情報を通信装置６０から受信すると、部屋の利用が許可されたことを通知し、部屋の利用時間の入力を促し、利用時間の入力を受け付ける（ステップＳ１１４）。そして、携帯端末１００は、入力された利用時間を通信装置６０に対して送信する（ステップＳ１１５）。通信装置６０は、利用時間を携帯端末１００から受信すると、受信した利用時間と、自身が設置された部屋の部屋識別情報とを、情報処理装置２００に対して送信する（ステップＳ１１６）。
【００６２】
情報処理装置２００は、部屋識別情報と利用時間とを通信装置６０から受信すると、受信した時の時刻を開始時刻として、部屋識別情報に対応付けて部屋情報記憶部２０４に登録する（ステップＳ１１７）。また、情報処理装置２００は、開始時刻と利用時間とから部屋の利用の終了時刻を算出し、算出した終了時刻を、部屋識別情報に対応付けて部屋情報記憶部２０４に登録する（ステップＳ１１８）。その後、情報処理装置２００は、終了時刻の所定時間前になった場合に、終了時刻前情報を通信装置６０に対して送信する（ステップＳ１１９）。
【００６３】
また、ステップＳ１１４の処理をステップＳ１０４の処理のタイミングで行ない、ステップＳ１０５において、部屋識別情報、端末情報とともに利用時間を送信するような構成としても良い。この場合、ステップＳ１１４〜ステップＳ１１７の処理が不要となるため、ステップＳ１１０で端末情報を受信した時刻を開始時刻とし、ステップＳ１１２で利用許可情報を送信するとき、開始時刻を送信するようにしても良い。
【００６４】
通信装置６０は、終了時刻前情報を情報処理装置２００から受信すると、受信した終了時刻前情報を携帯端末１００に対して転送する（ステップＳ１２０）。携帯端末１００は、終了時刻前情報を通信装置６０から受信すると、終了時刻の所定時間前であることを通知する（ステップＳ１２１）。ここで、通信装置６０は、部屋に存在する携帯端末１００との接続が切断されるまで、携帯端末１００を検出する（ステップＳ１２２）。そして、通信装置６０は、携帯端末１００との接続が切断された場合に、自身が設置された部屋の部屋識別情報と、接続切断情報とを、情報処理装置２００に対して送信する（ステップＳ１２３）。情報処理装置２００は、部屋識別情報と接続切断情報とを通信装置６０から受信すると、受信した時の時刻を退室時刻として、部屋識別情報に対応付けて部屋情報記憶部２０４に登録する（ステップＳ１２４）。
【００６５】
［実施の形態１に係る時間延長処理］
次に、図８を用いて、実施の形態１に係る時間延長処理の流れを説明する。図８は、実施の形態１に係る時間延長処理の流れの例を示すシーケンス図である。
【００６６】
図８に示すように、情報処理装置２００は、終了時刻の所定時間前になった場合に、終了時刻前情報を通信装置６０に対して送信する（ステップＳ２０１）。通信装置６０は、終了時刻前情報を情報処理装置２００から受信すると、受信した終了時刻前情報を携帯端末１００に対して転送する（ステップＳ２０２）。携帯端末１００は、終了時刻前情報を通信装置６０から受信すると、部屋の利用の終了時刻の所定時間前であることを通知する（ステップＳ２０３）。また、携帯端末１００は、部屋の利用時間を延長するか否かの選択画面を表示する（ステップＳ２０４）。
【００６７】
そして、携帯端末１００は、部屋の利用時間を延長する選択と、延長時間とを受け付ける（ステップＳ２０５）。その後、携帯端末１００は、受け付けられた延長時間を通信装置６０に対して送信する（ステップＳ２０６）。通信装置６０は、延長時間を携帯端末１００から受信すると、受信した延長時間と、自身が設置された部屋の部屋識別情報とを、情報処理装置２００に対して送信する（ステップＳ２０７）。情報処理装置２００は、部屋識別情報と延長時間とを通信装置６０から受信すると、部屋識別情報に対応付けて部屋情報記憶部２０４に記憶された終了時刻に延長時間を加算し、新たな終了時刻を部屋情報記憶部２０４に登録する（ステップＳ２０８）。
【００６８】
［実施の形態１による効果］
情報処理システム１は、受付端末５０を介して携帯端末１００から送信された端末情報を部屋識別情報に対応付けて登録しておき、通信装置６０を介して携帯端末１００から端末情報が送信された場合に、既に登録済みであれば利用許可を通知する。また、情報処理システム１は、利用許可の通知に応じて受け付けられた部屋の利用時間をもとに、開始時刻と終了時刻とを決定し、登録する。また、情報処理システム１は、終了時刻の所定時間前になったときに、終了時刻前情報を携帯端末１００に通知する。また、情報処理システム１は、部屋の利用の延長時間をもとに、終了時刻を更新する。これらの結果、情報処理システム１は、施設の効率的な利用を実現させることができる。
【００６９】
（実施の形態２）
［実施の形態２に係る各装置の機能構成］
図９を用いて、実施の形態２に係る携帯端末及び情報処理装置の機能構成を説明する。図９は、実施の形態２に係る携帯端末及び情報処理装置の機能構成例を示すブロック図である。
【００７０】
図９に示すように、携帯端末１００ａは、操作表示部１０１と、操作表示制御部１０２ａと、送信制御部１０３ａと、通信部１０４と、接続処理部１０５と、受信制御部１０６ａとを有する。操作表示制御部１０２ａ、送信制御部１０３ａ、接続処理部１０５及び受信制御部１０６ａは、これらの一部又は全てがソフトウェア（プログラム）で実現されても良いし、ハードウェア回路で実現されても良い。
【００７１】
受信制御部１０６ａは、部屋の利用不可を表す利用不可情報を受信するための制御を行なう。例えば、受信制御部１０６は、情報処理装置２００ａによって、部屋識別情報に対応付けて端末情報が部屋情報記憶部２０４ａに登録されていないと判定されたことにより、通信部１０４を介して、部屋の利用不可を表す利用不可情報を情報処理装置２００から受信する。利用不可情報は、通信装置６０を介して情報処理装置２００ａから受信される。
【００７２】
操作表示制御部１０２ａは、部屋の利用が許可されていないことを通知するための制御を行なう。かかる操作表示制御部１０２ａは、「通知部」の一例である。例えば、操作表示制御部１０２ａは、受信制御部１０６ａによって利用不可情報が受信された場合に、部屋の利用が許可されていないことを操作表示部１０１等に表示し、ユーザに通知する。これにより、ユーザは、入室した部屋が、受付にて指定した部屋と一致していないこと（利用する部屋を間違えていること）を認識する。
【００７３】
また、受信制御部１０６ａは、部屋の利用の開始時刻になったことを表す情報を情報処理装置２００から受信するための制御を行なう。例えば、受信制御部１０６ａは、情報処理装置２００ａによって、部屋の開始時刻になったことに応じて部屋の利用の開始時刻になったことを表す情報が送信されることにより、通信部１０４を介して、部屋の利用の開始時刻になったことを表す情報を情報処理装置２００ａから受信する。部屋の利用の開始時刻になったことを表す情報は、通信装置６０を介して、情報処理装置２００ａから受信される。
【００７４】
また、操作表示制御部１０２ａは、部屋の開始時刻になったことを通知するための制御を行なう。かかる操作表示制御部１０２ａは、「開始時刻通知部」の一例である。例えば、操作表示制御部１０２ａは、受信制御部１０６ａによって、部屋の開始時刻になったことを表す情報が受信された場合に、部屋の開始時刻になったことを操作表示部１０１等に表示し、ユーザに通知する。これにより、ユーザは、部屋の利用の開始時刻になったことを認識する。
【００７５】
また、操作表示制御部１０２ａは、注文の入力を受け付けるための制御を行なう。かかる操作表示制御部１０２ａは、「注文受付部」の一例である。本実施の形態では、施設のサービスの一つとして、飲食物等の注文を行なえる。例えば、操作表示制御部１０２ａは、操作表示部１０１を用いたユーザ操作に応じて、注文の入力を受け付ける。
【００７６】
また、送信制御部１０３ａは、注文の内容を表す注文情報を情報処理装置２００ａに対して送信するための制御を行なう。例えば、送信制御部１０３ａは、操作表示制御部１０２ａによって注文の入力が受け付けられた場合に、通信部１０４を介して、注文情報を情報処理装置２００ａに対して送信する。注文情報は、通信装置６０を介して、情報処理装置２００に対して送信される。このとき、通信装置６０は、自身が設置された部屋の部屋識別情報を付加して、注文情報とともに情報処理装置２００ａに対して送信する。なお、送信制御部１０３ａは、注文情報に加えて、携帯端末１００ａの端末情報もさらに送信しても良い。これにより、情報処理装置２００ａでは、各部屋の注文内容を管理するだけでなく、何れの携帯端末１００によって注文されたかを管理することができる。
【００７７】
また、受信制御部１０６ａは、注文結果情報を情報処理装置２００ａから受信するための制御を行なう。例えば、受信制御部１０６ａは、送信制御部１０３ａによる注文情報の送信の応答として、通信部１０４を介して、注文に対する注文結果情報を情報処理装置２００から受信する。注文結果情報は、通信装置６０を介して、情報処理装置２００ａから受信される。注文結果情報は、注文が受け付けられたことを表す情報、又は、注文が受け付けられないことを表す情報である。
【００７８】
また、操作表示制御部１０２ａは、注文結果情報を通知する。かかる操作表示制御部１０２ａは、「注文結果通知部」の一例である。例えば、操作表示制御部１０２ａは、受信制御部１０６ａによって注文結果情報が受信された場合に、注文結果情報を操作表示部１０１等に表示し、ユーザに通知する。なお、注文が受け付けられない場合とは、例えば、部屋の利用の終了時刻の所定時間前を経過していること等が挙げられる。
【００７９】
また、図９に示すように、情報処理装置２００ａは、通信部２０１と、受信制御部２０２ａと、登録部２０３ａと、部屋情報記憶部２０４ａと、登録判定部２０５と、送信制御部２０６ａと、受信判定部２０７ａと、時間判定部２０８ａと、注文情報記憶部２０９ａとを有する。受信制御部２０２ａ、登録部２０３ａ、登録判定部２０５、送信制御部２０６ａ、受信判定部２０７ａ及び時間判定部２０８ａは、これらの一部又は全てがソフトウェア（プログラム）で実現されても良いし、ハードウェア回路で実現されても良い。
【００８０】
本実施の形態では、複数のユーザが部屋を利用する場合を例に挙げる。具体的には、受付にて使用された携帯端末１００ａを所持するユーザに指定された部屋に、該携帯端末１００ａとは異なる携帯端末１００ａを所持するユーザが入室する。情報処理装置２００ａでは、受付にて使用されていない携帯端末１００ａの端末情報を管理していない。このため、情報処理装置２００ａは、受付にて使用されていない携帯端末１００ａを所持するユーザが、受付にて使用された携帯端末１００ａを所持するユーザの一行であるかを把握する。
【００８１】
受信判定部２０７ａは、部屋識別情報と端末情報とが受信された時を含む所定時間範囲内に、部屋情報記憶部２０４ａに登録済みの端末情報が受信されたか否かを判定する。例えば、受信判定部２０７ａは、登録判定部２０５によって、部屋識別情報と端末情報とが、部屋情報記憶部２０４ａに対応付けて登録されていないと判定された場合に、部屋識別情報と端末情報とが受信された時を含む所定時間範囲内に、部屋情報記憶部２０４ａに登録済みの端末情報が受信されたか否かを判定する。上記実施の形態で説明したように、ユーザが入室すると、部屋に設置された通信装置６０と携帯端末１００ａとの接続が確立され、端末情報と部屋識別情報とが情報処理装置２００ａに対して送信される。このとき、登録判定部２０５によって、部屋識別情報と端末情報とが部屋情報記憶部２０４ａに登録されているか否かが判定される。この時点で、受付にて使用されていない携帯端末１００ａの端末情報は登録されていない。このため、受信判定部２０７ａは、部屋識別情報と、受付にて使用されていない携帯端末１００ａの端末情報とが受信された時を含む所定時間範囲内に、受付にて使用された携帯端末１００ａの端末情報が受信されたか否か、すなわち部屋情報記憶部２０４ａに登録済みの端末情報が受信されたか否かを判定する。受付にて使用されていない携帯端末１００ａの端末情報が受信された時を含む所定時間範囲内に、受付にて使用された携帯端末１００ａの端末情報が受信されれば、これらの携帯端末１００ａを所持するユーザは同グループであるものとする。
【００８２】
登録部２０３ａは、登録されていない端末情報を部屋情報記憶部２０４ａに登録する。例えば、登録部２０３ａは、受信判定部２０７ａによって所定時間範囲内に部屋情報記憶部２０４ａに登録済みの端末情報が受信されたと判定された場合に、登録されていない端末情報を部屋情報記憶部２０４ａに登録する。図１０は、実施の形態２に係る部屋情報記憶部２０４ａに記憶される情報例を示す図である。図１０に示すように、部屋情報記憶部２０４ａは、実施の形態１に係る部屋情報記憶部２０４（図６参照）に加えて、受付にて使用されていない携帯端末１００ａの端末情報である「関連端末情報」の情報をさらに記憶する。例を挙げると、関連端末情報には、「端末Ｘ、端末Ｙ」等の情報が記憶される。つまり、図１０に示した例において、部屋識別情報が「１０２」である部屋は、端末情報が「端末Ｂ」、「端末Ｐ」、「端末Ｑ」、「端末Ｒ」である携帯端末１００ａを所持するユーザが利用している。また、端末Ｐ、端末Ｑ及び端末Ｒとは、受付にて使用された携帯端末１００ａの端末情報ではない。なお、登録部２０３ａは、開始時刻を過ぎてから、部屋情報記憶部２０４ａに登録されていない端末情報に対応する携帯端末１００ａを所持するユーザが入室した場合には、部屋を間違えていれば認識可能であるため、そのまま部屋情報記憶部２０４ａに登録すれば良い。このとき、複数の部屋に跨って端末情報が登録されていないか、部屋情報記憶部２０４ａを確認するようにしても良い。
【００８３】
また、送信制御部２０６ａは、登録されていない端末情報に対応する携帯端末１００ａに対して利用不可情報を送信するための制御を行なう。例えば、送信制御部２０６ａは、受信判定部２０７ａによって所定時間範囲内に部屋情報記憶部２０４ａに登録済みの端末情報が受信されていないと判定された場合に、通信部２０１を介して、登録されていない端末情報に対応する携帯端末１００ａに対して利用不可情報を送信する。利用不可情報は、通信装置６０を介して、携帯端末１００ａに対して送信される。なお、所用で部屋から一旦出て、再び入室した場合であっても、このときは既に部屋情報記憶部２０４ａに対応付けて登録済みであるため、利用不可情報が送信されることはない。
【００８４】
また、送信制御部２０６ａは、開始時刻になったことを表す情報を携帯端末１００に対して送信するための制御を行なう。例えば、送信制御部２０６ａは、部屋情報記憶部２０４ａに記憶された部屋識別情報に対応する開始時刻になった場合に、開始時刻になったことを表す情報を、該当する部屋識別情報に対応する部屋に設置された通信装置６０を介して、携帯端末１００ａに対して送信する。開始時刻であることを表す情報は、部屋識別情報に対応付けられた端末情報に対応する携帯端末１００全てに対して送信される。これにより、ユーザは、部屋の開始時刻であることを認識する。
【００８５】
また、受信制御部２０２ａは、注文情報と部屋識別情報とを携帯端末１００ａから受信するための制御を行なう。例えば、受信制御部２０２ａは、ユーザによって入力された注文の注文情報と、通信装置６０によって付加された部屋識別情報とを、通信部２０１を介して、携帯端末１００ａから受信する。注文情報と部屋識別情報とは、通信装置６０を介して、携帯端末１００ａから受信される。なお、受信制御部２０２ａは、注文情報と部屋識別情報とに加えて、携帯端末１００ａの端末情報もさらに受信する場合もある。
【００８６】
時間判定部２０８ａは、終了時刻の所定時間前を経過しているか否かを判定する。例えば、時間判定部２０８ａは、受信制御部２０２ａによって部屋識別情報と注文情報とが受信された場合に、部屋情報記憶部２０４ａを参照して、受信された部屋識別情報に対応する終了時刻を確認し、現在の時刻が、終了時刻の所定時間前を経過しているか否かを判定する。
【００８７】
また、登録部２０３ａは、部屋識別情報と注文情報とを対応付けて注文情報記憶部２０９ａに登録する。例えば、登録部２０３ａは、時間判定部２０８ａによって終了時刻の所定時間前を経過していないと判定された場合に、部屋識別情報と注文情報とを対応付けて注文情報記憶部２０９ａに登録する。なお、受信制御部２０２ａによって端末情報もさらに受信されている場合は、端末情報も対応付けて注文情報記憶部２０９ａに登録される。また、注文情報記憶部２０９ａへの登録時に、注文時刻も合わせて登録しても良い。
【００８８】
図１１は、実施の形態２に係る注文情報記憶部２０９ａに記憶される情報例を示す図である。図１１に示すように、注文情報記憶部２０９ａは、「部屋識別情報」と、注文情報を送信してきた携帯端末１００ａの端末情報を表す「端末情報」と、注文の内容を表す「注文内容」と、注文された時刻を表す「注文時刻」との情報を対応付けて記憶する。例を挙げると、注文情報記憶部２０９ａは、部屋識別情報「２０１」と、端末情報「端末Ｇ」と、注文内容「ドリンクＡ」と、注文時刻「１１：４０」とを対応付けて記憶する。情報処理装置２００ａは、部屋ごとに、いつ、何れの携帯端末１００ａが何の注文をしたかを管理することができる。例えば、部屋の利用の精算時に、何時にどの携帯端末１００ａから、何の注文があったかを表す明細を提示することができる。
【００８９】
図９の説明に戻る。送信制御部２０６ａは、注文を受け付けたことを表す注文結果情報を携帯端末１００ａに対して送信するための制御を行なう。例えば、送信制御部２０６ａは、時間判定部２０８ａによって終了時刻の所定時間前を経過していないと判定された場合に、通信部２０１を介して、注文を受け付けたことを表す注文結果情報を携帯端末１００ａに対して送信する。注文結果情報は、通信装置６０を介して、携帯端末１００ａに対して送信される。
【００９０】
また、送信制御部２０６ａは、注文情報を作業者端末に対して送信するための制御を行なう。例えば、送信制御部２０６ａは、時間判定部２０８ａによって終了時刻の所定時間前を経過していないと判定された場合に、通信部２０１を介して、注文情報を、飲食物等を準備する作業者の作業者端末に対して送信する。これにより、作業者は、注文内容を確認し、飲食物等の提供のための作業を開始する。
【００９１】
また、送信制御部２０６ａは、注文を受け付けられないことを表す注文結果情報を携帯端末１００ａに対して送信するための制御を行なう。例えば、送信制御部２０６ａは、時間判定部２０８ａによって終了時刻の所定時間前を経過していると判定された場合に、通信部２０１を介して、注文を受け付けられないことを表す注文結果情報を携帯端末１００ａに対して送信する。注文結果情報は、通信装置６０を介して、携帯端末１００ａに対して送信される。
【００９２】
［実施の形態２に係る端末情報登録処理］
次に、図１２を用いて、実施の形態２に係る端末情報登録処理の流れを説明する。図１２は、実施の形態２に係る端末情報登録処理の流れの例を示すフローチャートである。なお、端末情報登録処理とは、複数の端末情報を部屋情報記憶部２０４ａに登録し、開始時刻を携帯端末１００ａに対して通知する処理を指す。
【００９３】
図１２に示すように、情報処理装置２００ａは、通信装置６０を介して、部屋識別情報と端末情報とを携帯端末１００ａから受信した場合に（ステップＳ３０１：Ｙｅｓ）、部屋識別情報と端末情報とが、部屋情報記憶部２０４ａに対応付けて登録されているか否かを判定する（ステップＳ３０２）。一方、情報処理装置２００ａは、部屋識別情報と端末情報とを受信していない場合に（ステップＳ３０１：Ｎｏ）、受信待ちの状態となる。
【００９４】
情報処理装置２００ａは、部屋識別情報と端末情報とが部屋情報記憶部２０４ａに対応付けて登録されていない場合に（ステップＳ３０２：Ｎｏ）、部屋識別情報と端末情報とが受信された時を含む所定時間範囲内に、登録済みの端末情報を受信したか否かを判定する（ステップＳ３０３）。このとき、情報処理装置２００ａは、所定時間範囲内に登録済みの端末情報を受信した場合に（ステップＳ３０３：Ｙｅｓ）、登録されていない端末情報を、部屋識別情報に対応付けて部屋情報記憶部２０４ａに登録する（ステップＳ３０４）。一方、情報処理装置２００ａは、所定時間範囲内に登録済みの端末情報を受信していない場合に（ステップＳ３０３：Ｎｏ）、登録されていない端末情報に対応する携帯端末１００ａに対して、利用不可情報を通知する（ステップＳ３０５）。また、情報処理装置２００ａは、部屋識別情報と端末情報とが部屋情報記憶部２０４ａに対応付けて登録されている場合に（ステップＳ３０２：Ｙｅｓ）、ステップＳ３０６の処理を実行する。
【００９５】
情報処理装置２００ａは、部屋の利用の開始時刻になっていない場合に（ステップＳ３０６：Ｎｏ）、部屋識別情報と端末情報とを受信したか否かを判定する（ステップＳ３０７）。そして、情報処理装置２００ａは、部屋識別情報と端末情報とを受信した場合に（ステップＳ３０７：Ｙｅｓ）、部屋識別情報と端末情報とが部屋情報記憶部２０４ａに対応付けて登録されているか否かを判定する（ステップＳ３０８）。このとき、情報処理装置２００ａは、部屋識別情報と端末情報とが部屋情報記憶部２０４ａに対応付けて登録されていない場合に（ステップＳ３０８：Ｎｏ）、登録されていない端末情報を、部屋識別情報に対応付けて部屋情報記憶部２０４ａに登録する（ステップＳ３０９）。また、情報処理装置２００ａは、部屋識別情報と端末情報とを受信していない場合に（ステップＳ３０７：Ｎｏ）、ステップＳ３０６の処理を実行する。また、情報処理装置２００ａは、部屋識別情報と端末情報とが部屋情報記憶部２０４ａに対応付けて登録されている場合に（ステップＳ３０８：Ｙｅｓ）、ステップＳ３０６の処理を実行する。また、情報処理装置２００ａは、ステップＳ３０９の処理後、ステップＳ３０６の処理を実行する。
【００９６】
情報処理装置２００ａは、部屋の利用の開始時刻になった場合に（ステップＳ３０６：Ｙｅｓ）、部屋情報記憶部２０４ａに登録された端末情報に対応する携帯端末１００ａに対して、開始時刻になったことを表す情報を通知する（ステップＳ３１０）。その後、情報処理装置２００ａは、部屋の利用の終了時刻になったか否かを判定する（ステップＳ３１１）。このとき、情報処理装置２００ａは、部屋の利用の終了時刻になっていない場合に（ステップＳ３１１：Ｎｏ）、部屋識別情報と端末情報とを受信したか否かを判定する（ステップＳ３１２）。そして、情報処理装置２００ａは、部屋識別情報と端末情報とを受信した場合に（ステップＳ３１２：Ｙｅｓ）、部屋情報記憶部２０４ａに登録されていなければ、部屋識別情報と端末情報とを対応付けて登録し、該当する携帯端末１００に対して開始時刻を通知する（ステップＳ３１３）。また、情報処理装置２００ａは、部屋の利用の終了時刻になった場合に（ステップＳ３１１：Ｙｅｓ）、端末情報登録処理を終了する。また、情報処理装置２００ａは、部屋識別情報と端末情報とを受信していない場合に（ステップＳ３１２：Ｎｏ）、ステップＳ３１１の処理を実行する。
【００９７】
［実施の形態２に係る注文処理］
次に、図１３を用いて、実施の形態２に係る注文処理の流れを説明する。図１３は、実施の形態２に係る注文処理の流れの例を示すシーケンス図である。
【００９８】
図１３に示すように、携帯端末１００ａは、ユーザ操作により注文の入力を受け付ける（ステップＳ４０１）。そして、携帯端末１００ａは、受け付けた注文の注文情報を通信装置６０に対して送信する（ステップＳ４０２）。通信装置６０は、注文情報を携帯端末１００ａから受信すると、受信した注文情報と、自身が設置された部屋の部屋識別情報とを、情報処理装置２００ａに対して送信する（ステップＳ４０３）。
【００９９】
情報処理装置２００ａは、部屋識別情報と注文情報とを通信装置６０から受信すると、注文可否判定処理を実行する（ステップＳ４０４）。なお、注文可否判定処理の流れについては後述する。そして、情報処理装置２００ａは、注文が受け付けられたことを表す注文結果情報、又は、注文が受け付けられないことを表す注文結果情報を通信装置６０に対して送信する（ステップＳ４０５）。通信装置６０は、注文結果情報を情報処理装置２００ａから受信すると、受信した注文結果情報を携帯端末１００ａに対して転送する（ステップＳ４０６）。携帯端末１００ａは、注文結果情報を通信装置６０から受信すると、注文結果を操作表示部１０１等に出力し、ユーザに通知する（ステップＳ４０７）。
【０１００】
また、情報処理装置２００ａは、注文を受け付けられる場合に、注文情報を作業者端末に対して送信する（ステップＳ４０８）。作業者端末は、注文情報を情報処理装置２００ａから受信すると、注文情報を表示部等に出力し、作業者に注文内容を通知する（ステップＳ４０９）。
【０１０１】
［実施の形態２に係る注文可否判定処理］
次に、図１４を用いて、実施の形態２に係る注文可否判定処理の流れを説明する。図１４は、実施の形態２に係る注文可否判定処理の流れの例を示すフローチャートである。
【０１０２】
図１４に示すように、情報処理装置２００ａは、通信装置６０を介して、部屋識別情報と注文情報とを携帯端末１００ａから受信する（ステップＳ５０１）。そして、情報処理装置２００ａは、部屋情報記憶部２０４ａを参照し、部屋識別情報に対応する終了時刻の所定時間前を経過しているか否かを判定する（ステップＳ５０２）。このとき、情報処理装置２００ａは、終了時刻の所定時間前を経過していないと判定した場合に（ステップＳ５０２：Ｎｏ）、部屋識別情報と注文情報とを注文情報記憶部２０９ａに対応付けて登録する（ステップＳ５０３）。
【０１０３】
そして、情報処理装置２００ａは、通信装置６０を介して、注文を受け付けたことを表す注文結果情報を携帯端末１００ａに対して通知する（ステップＳ５０４）。続いて、情報処理装置２００ａは、注文情報を作業者端末に対して通知する（ステップＳ５０５）。また、情報処理装置２００は、終了時刻の所定時間前を経過していると判定した場合に（ステップＳ５０２：Ｙｅｓ）、通信装置６０を介して、注文を受け付けられないことを表す注文結果情報を携帯端末１００ａに対して通知する（ステップＳ５０６）。
【０１０４】
［実施の形態２による効果］
情報処理システム１は、部屋を利用する複数ユーザが所持する携帯端末１００の端末情報を管理し、各携帯端末１００から注文を行なわせることができるので、施設利用のサービスを向上させることができる。また、情報処理システム１は、部屋識別情報ごとに、各携帯端末１００の端末情報に対する注文情報を管理するので、精算時に、細かな明細を提示することできる。
【０１０５】
（実施の形態３）
さて、これまで本発明に係る情報提供システム１の実施の形態について説明したが、上述した実施の形態以外にも種々の異なる形態にて実施されて良いものである。そこで、（１）機器電源の制御、（２）構成、（３）プログラム、について異なる実施の形態を説明する。
【０１０６】
（１）機器電源の制御
本実施の形態では、ユーザが利用する部屋に設置された各種機器の電源を、シーンに応じて制御することができる。例えば、情報処理装置２００は、通信装置６０を介して、携帯端末１００から受信された部屋識別情報と端末情報とが、部屋情報記憶部２０４に対応付けて登録されていると判定された場合に、部屋識別情報に対応する部屋に設置された各種機器の電源を投入するための制御を行なう。かかる制御は、「第１の電源制御部」の一例である。つまり、ユーザが入室した際、受付等にて使用された携帯端末１００の端末情報が部屋情報記憶部２０４に記憶されている場合に、演奏装置や照明等の各種機器の電源を投入する。なお、所用で退室してから再び入室したときにも、同様の処理が実行される。但し、既に電源が投入されている場合、すなわちひとりでも部屋に残っているならば、上記制御は行なわれない。
【０１０７】
また、情報処理装置２００は、部屋の利用の終了時刻になった場合、又は、接続切断情報が受信された場合に、部屋に設置された各種機器の電源を切断するための制御を行なう。かかる制御は、「第２の電源制御部」の一例である。つまり、ユーザが利用する部屋の終了時刻になったときや、ユーザが部屋から退出したときに、演奏装置や照明等の各種機器の電源を切断する。なお、第２電源制御部は、電源を切断するのではなく、照明を暗くする等の省エネルギーのモードに移行するための制御を行なっても良い。
【０１０８】
図１５は、実施の形態３に係る機器電源制御処理の流れの例を示すフローチャートである。図１５に示すように、情報処理装置２００は、通信装置６０を介して、部屋識別情報と端末情報とを受信した場合に（ステップＳ６０１：Ｙｅｓ）、部屋識別情報と端末情報とが部屋情報記憶部２０４に対応付けて登録されているか否かを判定する（ステップＳ６０２）。一方、情報処理装置２００は、部屋識別情報と端末情報とを受信していない場合に（ステップＳ６０１：Ｎｏ）、受信待ちの状態となる。
【０１０９】
そして、情報処理装置２００は、部屋識別情報と端末情報とが部屋情報記憶部２０４に対応付けて登録されている場合に（ステップＳ６０２：Ｙｅｓ）、部屋識別情報に対応する部屋に設置された各種機器の電源を投入するための制御を行なう（ステップＳ６０３）。また、情報処理装置２００は、部屋情報と端末情報とが部屋情報記憶部２０４に対応付けて登録されていない場合に（ステップＳ６０２：Ｎｏ）、ステップＳ６０１の処理を実行する。
【０１１０】
その後、情報処理装置２００は、部屋の利用の終了時刻になっていない場合に（ステップＳ６０４：Ｎｏ）、部屋情報記憶部２０４に登録されている端末情報に対応する携帯端末１００が部屋に存在するか否かを判定する（ステップＳ６０５）。かかる判定については、通信装置６０からの接続切断情報の有無によって処理する。このとき、情報処理装置２００は、携帯端末１００が部屋に存在する場合に（ステップＳ６０５：Ｙｅｓ）、ステップＳ６０４の処理を実行する。
【０１１１】
一方、情報処理装置２００は、携帯端末１００が部屋に存在しない場合に（ステップＳ６０５：Ｎｏ）、部屋識別情報に対応する部屋に設置された各種機器の電源を切断するための制御を行なう（ステップＳ６０６）。また、情報処理装置２００は、部屋の利用の終了時刻になった場合に（ステップＳ６０４：Ｙｅｓ）、部屋識別情報に対応する部屋に設置された各種機器の電源を切断するための制御を行なう（ステップＳ６０６）。
【０１１２】
（２）構成
また、上記文書中や図面中等で示した処理手順、制御手順、具体的名称、各種のデータやパラメタ等を含む情報は、特記する場合を除いて任意に変更することができる。また、図示した装置の各構成要素は、機能概念的なものであり、必ずしも物理的に図示の如く構成されていることを要しない。すなわち、装置の分散又は統合の具体的形態は、図示のものに限られず、その全部又は一部を各種の負担や使用状況等に応じて、任意の単位で機能的又は物理的に、分散又は統合することができる。
【０１１３】
（３）プログラム
また、携帯端末１００や情報処理装置２００で実行されるプログラムは、一つの様態として、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。また、携帯端末１００や情報処理装置２００で実行されるプログラムを、インターネット等のネットワークに接続されたコンピュータ上に格納し、ネットワーク経由でダウンロードさせることにより提供するようにしても良い。また、携帯端末１００や情報処理装置２００で実行されるプログラムをインターネット等のネットワーク経由で提供又は配布するように構成しても良い。また、携帯端末１００や情報処理装置２００で実行されるプログラムを、ＲＯＭ等に予め組み込んで提供するように構成しても良い。
【０１１４】
携帯端末１００で実行されるプログラムは、上述した各部（操作表示制御部１０２、送信制御部１０３、接続処理部１０５、受信制御部１０６）を含むモジュール構成となっており、実際のハードウェアとしてはＣＰＵが記憶媒体からプログラムを読み出して実行することにより、上記各部が主記憶装置上にロードされ、操作表示制御部１０２、送信制御部１０３、接続処理部１０５、受信制御部１０６が主記憶装置上に生成されるようになっている。
【０１１５】
また、情報処理装置２００で実行されるプログラムは、上述した各部（受信制御部２０２、登録部２０３、登録判定部２０５、送信制御部２０６）を含むモジュール構成となっており、実際のハードウェアとしてはＣＰＵが記憶媒体からプログラムを読み出して実行することにより、上記各部が主記憶装置上にロードされ、受信制御部２０２、登録部２０３、登録判定部２０５、送信制御部２０６が主記憶装置上に生成されるようになっている。
【符号の説明】
【０１１６】
１      情報処理システム
５０    受付端末
６０    通信装置
１００  携帯端末
１０１  操作表示部
１０２  操作表示制御部
１０３  送信制御部
１０４  通信部
１０５  接続処理部
１０６  受信制御部
２００  情報処理装置
２０１  通信部
２０２  受信制御部
２０３  登録部
２０４  部屋情報記憶部
２０５  登録判定部
２０６  送信制御部
【先行技術文献】
【特許文献】
【０１１７】
【特許文献１】特開２０１３−１９６６４１号公報
【特許文献２】特開２０１４−０５９５９３号公報
【図１】
2016177697.tif 000003
【図２】
2016177697.tif 000004
【図３】
2016177697.tif 000005
【図４】
2016177697.tif 000006
【図５】
2016177697.tif 000007
【図６】
2016177697.tif 000008
【図７】
2016177697.tif 000009
【図８】
2016177697.tif 000010
【図９】
2016177697.tif 000011
【図１０】
2016177697.tif 000012
【図１１】
2016177697.tif 000013
【図１２】
2016177697.tif 000014
【図１３】
2016177697.tif 000015
【図１４】
2016177697.tif 000016
【図１５】
2016177697.tif 000017